(57)【要約】【課題】情報提供元であるデジタルサイネージ設置位置から所定の範囲内に存在する情報提供先に対して、情報をデジタルサイネージに表示して提供すると共に、情報提供先を特定した結果に応じて、表示形態を選択する。【解決手段】（１）ビーコン出力部２２から常にビーコンを出力する。（２）ビーコンの到達領域内で携帯端末３２がビーコンを受信すると、携帯端末３２での設定言語、携帯端末３２の現在位置を特定する。（３）店舗ＩＤ情報と、言語情報と、位置情報とを情報提供制御装置３４へ通知する。（４）情報提供制御装置３４では、表示情報を選択し、携帯端末３２に設定されている特定言語に変換する。（５）特定言語に変換された表示情報を、デジタルサイネージ１２へ送信する。（６）デジタルサイネージ１２は、情報提供先３０が認識し得る言語で、情報を表示する。【選択図】図３
2019164550.tif 000002
【特許請求の範囲】
【請求項１】
情報提供元のデジタルサイネージに表示する表示情報を格納する格納手段と、
前記情報提供元から発信され、当該情報提供元を特定可能なビーコンの受信に応答して出力される、情報提供先からの応答信号を受信する受信手段と、
前記受信手段で受信した応答信号に基づいて、前記格納手段に格納された表示情報から、前記デジタルサイネージに表示する表示情報を選択する選択手段と、
前記選択手段で選択された表示情報を、前記情報提供元のデジタルサイネージへ送信する送信手段と、
を有する情報提供制御装置。
【請求項２】
前記応答信号が、前記情報提供先の種類を特定する特定情報を含み、
前記特定情報によって表示形態を変更する、ことを特徴とする請求項１記載の情報提供制御装置。
【請求項３】
前記情報提供先が携帯端末であり、
前記特定情報が、前記携帯端末に設定されている言語の種類を特定するものであり、
前記表示形態の変更が、前記デジタルサイネージに表示される表示情報の言語の変更であることを特徴とする請求項２記載の情報提供制御装置。
【請求項４】
情報提供元を基点として所定領域を到達範囲として、当該情報提供元を特定可能なビーコンを発信する発信手段、及び、前記情報提供元に設置されたデジタルサイネージを備え、前記情報提供元で動作が管理される情報提供元管理デバイス群と、
前記ビーコンの受信に応答して応答信号を出力する機能を備えた携帯端末と、
前記デジタルサイネージに表示する情報を格納する格納手段、前記携帯端末から出力される応答信号を受信する受信手段、前記受信手段で受信した応答信号に基づいて前記格納手段に格納された表示情報から前記デジタルサイネージに表示する表示情報を選択する選択手段、及び、前記選択手段で選択された表示情報を前記情報提供元のデジタルサイネージへ送信する送信手段、を備えた管理サーバーと、
を有する情報提供システム。
【請求項５】
前記応答信号が、前記携帯端末に設定されている言語情報を含み、
前記管理サーバーは、前記デジタルサイネージの表示形態を前記携帯端末に設定されている言語情報に基づいて変更する、ことを特徴とする請求項４記載の情報提供システム。
【発明の詳細な説明】
【技術分野】
【０００１】
本発明は、例えば、店舗向けに設置されたデジタルサイネージを利用した、集客のための情報提供制御装置、情報提供システムに関するものである。
【背景技術】
【０００２】
近年、店頭、店内、交通機関、公共機関、及びオフィス等において、看板、ＰＯＰ及びショーウィンドウに代わり、所謂、次世代の電子広告表示機能として、デジタルサイネージが利用される機会が増加している。
【０００３】
デジタルサイネージでは、例えば、ネット環境が整っていれば、ＰＣ（パーソナルコンピュータ）等からコンテンツを配信し、表示することができる。
【０００４】
特許文献１には、携帯情報端末とデジタルサイネージとが双方向通信可能であり、デジタルサイネージがビーコン（ビーコン波ともいう）を送信し、携帯情報端末がビーコンを受信して応答信号を返信し、デジタルサイネージは応答信号の受信によって、例えば、表示態様を変化させることが記載されている。
【０００５】
この特許文献１によれば、利用者が所定の距離にあると、表示態様が変化したり、タッチパネル操作が可能になったり、ポイント等の特定が付与されたりするので、デジタルサイネージの新たな操作方法を提供することができる。
【０００６】
また、特許文献２には、デジタルサイネージ装置と通信端末を備えたシステムにおいて、デジタルサイネージは、当該デジタルサイネージの表示部に表示される第１のコンテンツのＩＤを取得し、ＩＤを含んだビーコンを送信し、通信端末は受信したビーコンに含まれるＩＤに基づきデータベースから第２のコンテンツを取得して、通信端末の表示部に表示させることが記載されている。
【０００７】
この特許文献２によれば、利用者が特別な操作をすることなく、デジタルサイネージに表示された広告や案内等に関連する情報を利用者に提供することができる。
【先行技術文献】
【特許文献】
【０００８】
【特許文献１】特開２０１７−１２５９０１号公報
【特許文献２】特開２０１５−２２２８８０号公報
【発明の概要】
【発明が解決しようとする課題】
【０００９】
しかしながら、従来技術では、利用者（携帯情報端末又は通信端末の所有者）に関する情報と、デジタルサイネージに表示する内容とに特別な関連はなく、一方的に送信側（例えば、店舗側）の情報を報知するにすぎない。
【００１０】
このため、利用者に役立つ情報であるか否かの判断ができず、適切な情報提供とならない場合がある。例えば、日本語がわからない外国人に対して、デジタルサイネージに日本語を表示しても全く意味がない。
【００１１】
本発明は、情報提供元であるデジタルサイネージ設置位置から所定の範囲内に存在する情報提供先に対して、情報をデジタルサイネージに表示して提供することができ、かつ、情報提供先を特定した結果に応じて、表示形態を選択することができる情報提供制御装置、情報提供システムを得ることにある。
【課題を解決するための手段】
【００１２】
本発明に係る情報提供制御装置は、情報提供元のデジタルサイネージに表示する表示情報を格納する格納手段と、前記情報提供元から発信され、当該情報提供元を特定可能なビーコンの受信に応答して出力される、情報提供先からの応答信号を受信する受信手段と、前記受信手段で受信した応答信号に基づいて、前記格納手段に格納された表示情報から、前記デジタルサイネージに表示する表示情報を選択する選択手段と、前記選択手段で選択された表示情報を、前記情報提供元のデジタルサイネージへ送信する送信手段と、を有している。
【００１３】
本発明の情報提供制御装置において、前記応答信号が、前記情報提供先の種類を特定する特定情報を含み、前記特定情報によって表示形態を変更する、ことを特徴としている。
【００１４】
本発明の情報提供制御装置において、前記情報提供先が携帯端末であり、前記特定情報が、前記携帯端末に設定されている言語の種類を特定するものであり、前記表示形態の変更が、前記デジタルサイネージに表示される表示情報の言語の変更であることを特徴としている。
【００１５】
本発明によれば、受信手段で情報提供元から発信されているビーコンの受信に応答して出力される、情報提供先からの応答信号を受信すると、選択手段が、格納手段に格納された表示情報から、前記デジタルサイネージに表示する表示情報を選択する。
【００１６】
送信手段では、選択手段で選択された表示情報を、前記情報提供元のデジタルサイネージへ送信する。このため、デジタルサイネージでは、ビーコンの受信を基点とした特定信号に応じて表示する情報を選択するため、例えば、デジタルサイネージに表示される表示情報を、情報提供先に有用な表示情報を厳選して表示することができる。
【００１７】
なお、応答信号が、前記情報提供先の種類を特定する特定情報を含む場合がある。この特定情報により、表示形態を変更する。
【００１８】
特定情報は、例えば、携帯端末に設定されている言語の種類を特定可能である、すなわち、携帯端末を利用している利用者が日常使用している言語である。表示情報を当該言語に変換することで、携帯端末を利用する利用者は、デジタルサイネージの表示情報を容易に理解することができる。
【００１９】
本発明に係る情報提供システムは、情報提供元を基点として所定領域を到達範囲として、当該情報提供元を特定可能なビーコンを発信する発信手段、及び、前記情報提供元に設置されたデジタルサイネージを備え、前記情報提供元で動作が管理される情報提供元管理デバイス群と、前記ビーコンの受信に応答して応答信号を出力する機能を備えた携帯端末と、前記デジタルサイネージに表示する情報を格納する格納手段、前記携帯端末から出力される応答信号を受信する受信手段、前記受信手段で受信した応答信号に基づいて前記格納手段に格納された表示情報から前記デジタルサイネージに表示する表示情報を選択する選択手段、及び、前記選択手段で選択された表示情報を前記情報提供元のデジタルサイネージへ送信する送信手段、を備えた管理サーバーと、を有している。
【００２０】
本発明の情報提供システムにおいて、前記応答信号が、前記携帯端末に設定されている言語情報を含み、前記管理サーバーは、前記デジタルサイネージの表示形態を前記携帯端末に設定されている言語情報に基づいて変更する、ことを特徴としている。
【００２１】
本発明の情報提供システムによれば、例えば、発信手段で常にビーコンを発信しておき、ビーコンの到達領域内で携帯端末がビーコンを受信すると、携帯端末での設定言語を特定し、管理サーバーへ通知する。
【００２２】
管理サーバーでは、表示情報を選択し、携帯端末に設定されている特定言語に変換し、デジタルサイネージへ送信することで、デジタルサイネージは、情報提供先が認識し得る言語で、情報を表示することができる。
【発明の効果】
【００２３】
以上説明した如く本発明では、情報提供元であるデジタルサイネージ設置位置から所定の範囲内に存在する情報提供先に対して、情報をデジタルサイネージに表示して提供することができ、かつ、情報提供先を特定した結果に応じて、表示形態を選択することができる。
【図面の簡単な説明】
【００２４】
【図１】情報提供システムが適用可能な、例えば、観光地の概略図である。
【図２】本実施の形態に係る情報提供システムがネットワークを介して構築された制御ブロック図である。
【図３】本実施の形態に係る情報提供システムの概略図である。
【図４】情報提供元管理デバイス群の制御装置における、デジタルサイネージ及びビーコン出力部の制御の流れを示すフローチャートである。
【図５】予め携帯端末にインストールされた情報配信アプリが実行制御ルーチンを示すフローチャートである。
【図６】情報提供制御装置における情報提供制御ルーチンを示すフローチャートである。
【発明を実施するための形態】
【００２５】
図１は、情報提供システムが適用可能な、例えば、観光地１０の概略図である。
【００２６】
図１（Ａ）に示される如く、観光地１０には、観光客（後述する情報提供先３０となり得る者）が訪れる観光スポット１０Ａ（歴史的建造物、娯楽施設等）が点在している。観光客は、当該観光スポット１０Ａを目当てに、町並みを散策することが予測される。
【００２７】
このため、観光地１０には、観光客が散策する町並みに沿って、商業施設としての複数の店舗１０Ｂが立ち並んでいる。図１（Ｂ）には、店舗１０Ｂの一例として、「○△▽□  ＳＨＯＰ」を拡大して図示した。
【００２８】
ここで、本実施の形態の店舗１０Ｂでは、店舗１０Ｂの商品を案内し、集客するための広告の１つとして、デジタルサイネージ１２を利用している。
【００２９】
図２に示される如く、デジタルサイネージ１２は、複数の店舗１０Ｂのそれぞれに設けられた情報提供元管理デバイス群１４の一部として機能するものである。
【００３０】
情報提供元管理デバイス群１４は、通信インターフェイス（通信Ｉ／Ｆ）１６を介して、ネットワーク１８に接続されている。また、情報提供元管理デバイス群１４は、制御装置２０を備えており、デジタルサイネージ１２及びビーコン出力部２２を制御する。ビーコン出力部２２については後述する。なお、ビーコンの一般的な定義としては、地上にある無線局などから発射される電波（或いは、赤外線のような高周波の電磁波）であり、移動体に搭載された機器で受信することにより、位置をはじめとした各種情報を取得することが可能である。
【００３１】
デジタルサイネージ１２は、表示部２４と、表示部２４に画像（静止画像及び動画像）を表示するための表示制御部２６と、表示情報を記憶する記憶部２７とを備える。
【００３２】
ここで、情報提供元管理デバイス群１４の制御装置２０には、ユーザーインターフェイス（ＵＩ）２８が接続されており、情報提供元管理デバイス群１４の管理者（店舗１０Ｂの関係者）は、ＵＩ２８を操作することで、表示情報を特定し、かつ、表示時間帯等を指定することで、指定された時間帯に、デジタルサイネージ１２の表示部２４に表示情報を表示させることができる。表示情報は、画像、文字、記号、及びこれらの２以上の組み合わせを含み、静止画像であってもよいし、動画像であってもよい。また、静止画像と動画像とを組み合わせてもよい。
【００３３】
図１（Ｂ）に示される如く、本実施の形態では、デジタルサイネージ１２は、架台１２Ａに支持されて、店舗１０Ｂの店先に置かれている形態を示している。なお、デジタルサイネージ１２は、架台１２Ａに支持される形態以外に、直接、店舗１０Ｂ等の壁面、屋根又は屋上に取り付ける等、様々な形態で設置可能である。また、デジタルサイネージ１２の設置場所は、店舗内の各フロア等であってもよい。
【００３４】
デジタルサイネージ１２の表示部２４には、予め設定した店舗１０Ｂに関する広告等の表示情報を表示でき、表示部２４の表示形態として、静止画像のみならず動画像が表示可能である点から、例えば、紙媒体の広告に比べて宣伝効果が高いことが期待できる。
【００３５】
また、デジタルサイネージ１２の他の利用形態として、図１（Ｂ）に示される如く、情報提供先３０（観光客等の利用者）が所持する携帯端末３２（例えば、スマートフォン等）との通信を行い、情報提供先からの指示に基づき、当該利用者が欲する情報を提供することも可能となっている（情報提供先主導の利用形態）。この情報提供先主導の利用形態では、情報提供先３０が、携帯端末３２を操作することが必須となる。
【００３６】
これに対して、本実施の形態では、図１（Ｂ）に示される如く、例えば、情報提供先３０が店舗１０Ｂの前を通過する際に、情報提供先３０が意識することなく、当該店舗１０Ｂの広告（表示情報）を、デジタルサイネージ１２に表示し、集客することを第１の特徴としている（情報提供元主導の利用形態）。
【００３７】
ところで、観光地１０（図１（Ａ）参照）によっては、邦人に限らず、様々な国の外国人の観光客（情報提供先３０）が多いことが予測される。
【００３８】
デジタルサイネージ１２は、デフォルトの表示情報として、言語が定められていることが多く（例えば、邦人用言語）、外国人の観光客の場合、デジタルサイネージ１２に表示される広告の意味がわからず、情報提供先３０に対する宣伝効果が期待できない場合がある。
【００３９】
なお、複数の言語を、時系列で交互に表示させることも可能であるが、表示される言語が、タイミングよく、通りすがりの外国人観光客（情報提供先３０）が通常利用する言語（例えば、母国語）とは限らない。また、言語の並列表示は、その分、広告量が減少する。
【００４０】
そこで、本実施の形態では、デジタルサイネージ１２に表示する表示情報の言語を、当該デジタルサイネージ１２が設置された店舗１０Ｂを通過する情報提供先３０が通常利用する言語に変換して（表示形態の変更）、情報を表示することを第２の特徴としている。
【００４１】
図２及び図３は、情報提供先３０に意識させない広告の提供機能（本発明の第１の特徴）と、情報提供先３０が通常利用する言語への変換機能（本発明の第２の特徴）を実行するための情報提供制御装置３４を中心とした、情報提供システムの構成図が示されている。
【００４２】
図２に示される如く、ネットワーク１８には、情報提供制御装置３４、情報提供元管理デバイス群１４、及び携帯端末３２と無線通信するための無線通信装置３６が接続されている。
【００４３】
情報提供制御装置３４は、メインコントロール部３８を備えている。メインコントロール部３８は、ＣＰＵ３８Ａ、ＲＡＭ３８Ｂ、ＲＯＭ３８Ｃ、入出力ポート（Ｉ／Ｏ）３８Ｄ、及びこれらを接続するデータバスやコントロールバス等のバス３８Ｅを有している。Ｉ／Ｏ３８Ｄには、格納手段としての情報提供元管理サーバー４０が接続されている。情報提供元管理サーバー４０には、予め、情報提供サービスに契約した情報提供元の識別情報（店舗ＩＤ情報）と、情報提供元に設置されたデジタルサイネージ１２に表示するための表示情報（例えば、異なる言語の表示情報）とが関連付けられて記憶されている。
【００４４】
なお、デジタルサイネージ１２の記憶部２７にも表示情報が記憶されているが、当該記憶部２７に記憶された表示情報は、店舗１０Ｂ側が独自で配信する広告等（デフォルトの表示情報）であり、例えば、デジタルサイネージ１２を単独で動作させる場合の必要最小限の表示情報である。
【００４５】
また、Ｉ／Ｏ３８Ｄには、通信Ｉ／Ｆ４２が接続されており、情報提供制御装置３４は、この通信Ｉ／Ｆ４２を介して、ネットワーク１８と接続される。
【００４６】
情報提供元管理デバイス群１４は、前述したように、デジタルサイネージ１２とビーコン出力部２２を備えている。デジタルサイネージ１２及びビーコン出力部２２は、制御装置２０による制御で動作する。
【００４７】
ビーコン出力部２２からは、例えば、店舗１０Ｂの開店中（営業時間帯）に、店舗１０Ｂを特定する識別情報（店舗ＩＤ）が付加されたビーコンを、常に出力している。
【００４８】
ビーコンは、近距離無線通信（一例として、「Bluetooth（登録商標）」）の環境下で受信させる電波である。
【００４９】
例えば、ビーコンを出力している店舗１０Ｂの周囲の所定の範囲に、受信デバイス（本実施の形態では、情報提供先３０（図１（Ｂ）参照）が所持する携帯端末３２）が入ったときに、当該携帯端末３２で受信可能となる。所定の範囲とは、特に、限定するものではないが、一例としては、店舗１０Ｂの外壁のそれぞれから、半径５ｍ〜１０ｍ前後の範囲が適当である。
【００５０】
携帯端末３２には、本実施の形態のデジタルサイネージ１２から情報提供を受けるための情報配信アプリケーションプログラム（以下、情報配信アプリという）が、予めインストールされている。この情報配信アプリでは、ビーコンを受信すると、ビーコンを解析して、店舗ＩＤを取得すると共に、当該携帯端末で設定されている言語情報を特定する。設定されている言語であれば、デジタルサイネージ１２で表示した場合に、認識可能である確率が高い。言語情報は、本発明の特定情報に相当する。
【００５１】
また、情報配信アプリでは、店舗ＩＤ及び言語情報、さらに、必要に応じて携帯端末３２の現在位置情報（総称して、アプリ情報という）を、本来の移動通信システムを用いて情報提供制御装置３４へ送信する。アプリ情報は、本発明の特定信号に相当する。
【００５２】
この一連の情報配信アプリの処理は、携帯端末３２が、情報提供先３０（図１（Ｂ）参照）の衣服のポケットや所持している鞄等に収容されている状態でも実行される。言い換えれば、情報配信アプリは、情報提供先３０自身が何ら認識しなくても実行されることになる。
【００５３】
情報提供制御装置３４では、携帯端末３２からのアプリ情報の受信に対応して、特定された店舗１０Ｂのデジタルサイネージ１２に表示するコンテンツ及びその言語を決定して、情報提供元管理デバイス群１４の制御装置２０へ送信する。
【００５４】
制御装置２０では、情報提供制御装置３４から受けたコンテンツを指定された言語で、デジタルサイネージ１２への表示を実行する。
【００５５】
以下、本実施の形態の作用を図４〜図６のフローチャートに従い説明する。
【００５６】
図４は、情報提供元管理デバイス群１４の制御装置２０における、デジタルサイネージ１２及びビーコン出力部２２の制御の流れを示すフローチャートである。
【００５７】
ステップ１００では、例えば、ＵＩ２８の操作により、情報提供を開始する指示があったか否かを判断し、肯定判定されると、ステップ１０２へ移行する。
【００５８】
ステップ１０２では、ビーコン出力部２２からのビーコンの出力を開始する（図３の（１）参照）。
【００５９】
次のステップ１０４では、デジタルサイネージ１２に表示するためのデフォルトの表示情報を、記憶部２７から読み出す。
【００６０】
次のステップ１０６では、読み出した表示情報に基づき、デジタルサイネージ１２の表示部２４への表示を開始する。
【００６１】
次のステップ１０８では、情報提供制御装置３４から表示情報を受信があったか否かを判断する。
【００６２】
このステップ１０８で否定判定、すなわち、情報提供制御装置３４から表示情報の受信がない場合は、ステップ１１０へ移行して、情報提供終了指示があったか否かを判断する。このステップ１１０で否定判定された場合は、情報提供を継続するべく、ステップ１０８へ戻る。また、ステップ１１０で肯定判定された場合は、情報提供を終了するべく、ステップ１１２へ移行して、ビーコンの出力を中止し、かつデジタルサイネージ１２による表示を終了し、このルーチンは終了する。
【００６３】
また、ステップ１０８で肯定判定、すなわち、情報提供制御装置３４から表示情報を受信した場合は、ステップ１１４へ移行して、受信した表示情報に表示情報を切り替える。この受信した表示情報は、情報提供先３０（図１（Ｂ）参照）に関連し、かつ情報提供先３０が利用している携帯端末３２の言語に合わせた形態となったものであり、情報提供先３０にとって、有用かつ理解可能な情報ということができる。
【００６４】
次のステップ１１６では、所定時間が経過したか否かを判断し、所定時間の経過前（否定判定状態）までは、受信した表示情報の表示を継続する。この所定時間は、特に限定されるものではないが、情報提供先３０が、店舗１０Ｂを通過する時間（例えば、１分〜２分程度）とすればよい。
【００６５】
ステップ１１６で肯定判定されると、ステップ１１８へ移行して、デジタルサイネージ１２の表示を、デフォルトの表示情報に戻し、表示を継続してステップ１０８へ移行する。
【００６６】
上記ステップ１０８、ステップ１１４、ステップ１１６、及びステップ１１８の処理が、図３の（６）に相当する。
【００６７】
図５は、予め携帯端末３２にインストールされた情報配信アプリ実行制御ルーチンを示すフローチャートである。
【００６８】
携帯端末３２は、情報提供先３０（観光客等の利用者）が所持し、電源が投入されている状態とする。また、一例として、観光客が観光地１０を散策している状況である（図１（Ａ）及び（Ｂ）参照）。
【００６９】
ステップ１３０では、情報提供元管理デバイス群１４のビーコン出力部２２から出力されているビーコンを受信したか否かを判断する。
【００７０】
ステップ１３０で肯定判定されると、ステップ１３２へ移行してビーコンに付加された店舗ＩＤを解析し、次いで、ステップ１３４へ移行して自機（所持している携帯端末３２）に設定されている言語を検索し、ステップ１３６へ移行する。ステップ１３６では、自機のＧＰＳ機能に基づき、位置情報を検索し、ステップ１３８へ移行する。なお、自機の位置情報は、店舗ＩＤから位置が特定可能であれば不要であるが、例えば、１軒の店舗１０Ｂの中に複数のデジタルサイネージ１２が点在しているような場合、或いは、系列店で同一の店舗ＩＤが付加されている場合等には、携帯端末３２の位置を検索して特定することが好ましい。
【００７１】
上記ステップ１３２、ステップ１３４、及びステップ１３６の処理が、図３の（２）に相当する。
【００７２】
次のステップ１３８では、ステップ１３２、ステップ１３４、及びステップ１３６で得た、店舗ＩＤ情報、言語情報、及び位置情報をアプリ情報として情報提供制御装置３４へ送信し、ステップ１３０へ戻り、上記工程を繰り返す。なお、ステップ１３８の処理が、図３の（３）に相当する。
【００７３】
図６は、情報提供制御装置３４における情報提供制御ルーチンを示すフローチャートである。
【００７４】
ステップ１５０では、携帯端末３２からアプリ情報の受信があったか否かを判断する。ステップ１５０で否定判定された場合は、このルーチンは終了する。
【００７５】
また、ステップ１５０で肯定判定された場合は、ステップ１５２へ移行して、アプリ情報に基づいて、携帯端末３２が受信したビーコンの発信元（店舗１０Ｂ）を検索し、次いで、ステップ１５４へ移行して、ビーコンを受信した携帯端末３２に設定されている言語情報を特定し、ステップ１５６へ移行する。
【００７６】
ステップ１５６では、情報提供元管理サーバー４０に記憶された店舗−表示情報テーブルに基づいて、デジタルサイネージ１２に表示するための、店舗ＩＤから検索された店舗１０Ｂに適した広告や案内に関する表示情報を選択し、ステップ１５８へ移行する。
【００７７】
ステップ１５８では、選択した表示情報を、ステップ１５６で特定した言語情報に変換し、ステップ１６０へ移行する。
【００７８】
上記ステップ１５２、ステップ１５４、ステップ１５６、及びステップ１５８が、図３の（４）の処理に相当する。
【００７９】
ステップ１６０では、携帯端末３２に設定されている言語に変換された表示情報を、ビーコンの発信元である店舗１０Ｂの情報提供管理元デバイス群１４の制御装置２０へ送信し、このルーチンは終了する。
【００８０】
このステップ１６０が、図３の（５）に相当する。
【００８１】
以下に、図４〜図６のフローチャートのそれぞれの動作によって実行される、図３の（１）〜（６）の流れを時系列で説明する。
【００８２】
（１）  店舗１０Ｂ（○△▽□ＳＨＯＰ）に設置された情報提供元管理デバイス群１４のビーコン出力部２２からは、常にビーコン（店舗ＩＤ付加）が出力されている。
【００８３】
（２）  ビーコンの到達領域内に、携帯端末３２（スマートフォン等）を所持する情報提供先３０（観光客等の利用者）が入り、ビーコンを受信すると、携帯端末３２で設定されている言語を特定する共に、携帯端末３２の現在位置を特定する。
【００８４】
（３）  ビーコンに含まれる店舗ＩＤ情報と、言語を特定する言語情報と、位置を特定する位置情報とを情報提供制御装置３４へ通知する。
【００８５】
（４）  情報提供制御装置３４では、店舗ＩＤ情報に関係する広告や案内等の表示情報を選択し、かつ、当該表示情報を、携帯端末３２に設定されている言語（特定言語）に変換する。
【００８６】
（５）  特定言語に変換された表示情報を、店舗１０Ｂに設置されているデジタルサイネージ１２へ送信する。
【００８７】
（６）  デジタルサイネージ１２は、店舗１０Ｂに接近する情報提供先３０（観光客等の利用者）が認識し得る言語で、情報を表示する。
【００８８】
以上説明したように本実施の形態では、店舗に近づく情報提供先（観光客等の利用者）に対して、広告や案内等の情報を提供する場合に、情報提供先が認識し得る言語で表示できるため、例えば、観光地や特別なイベントによって外国人が多数集まる場所において、情報提供先に確実に情報を提供することができる。
【００８９】
なお、本実施の携帯では、デジタタルサイネージ１２の記憶部２７に記憶するようにしたが、全ての表示情報を情報提供制御装置３４で管理するようにしてもよい。
【符号の説明】
【００９０】
１０    観光地
１０Ａ    観光スポット
１０Ｂ    店舗
１２    デジタルサイネージ
１２Ａ    架台
１４    情報提供元管理デバイス群
１６    通信インターフェイス（通信Ｉ／Ｆ）
１８    ネットワーク
２０    制御装置
２２    ビーコン出力部（発信手段）
２４    表示部
２６    表示制御部
２７    記憶部
２８    ユーザーインターフェイス（ＵＩ）
３０    情報提供先
３２    携帯端末
３４    情報提供制御装置（管理サーバー）
３６    無線通信装置
３８    メインコントロール部（選択手段）
３８Ａ    ＣＰＵ
３８Ｂ    ＲＡＭ
３８Ｃ    ＲＯＭ
３８Ｄ    入出力ポート（Ｉ／Ｏ）
３８Ｅ    バス
４０    情報提供元管理サーバー（格納手段）
４２    通信Ｉ／Ｆ（受信手段、送信手段）
【図１】
2019164550.tif 000003
【図２】
2019164550.tif 000004
【図３】
2019164550.tif 000005
【図４】
2019164550.tif 000006
【図５】
2019164550.tif 000007
【図６】
2019164550.tif 000008